(57)【要約】【課題】本発明は、キー色表示を変えることにより、どのコードが入力可能なのかを判別できる情報入力装置を提供する。【解決手段】情報入力装置１内部に設けられた発光色が異なる第一の光源、第二の光源と、機器表面に設けられ複数のキー３１からなり、各キーには前記光源の複数の発光色で文字種が異なる複数の文字が記されたキー入力部３０と、キー入力部３０により入力を行う文字種を設定する入力モード設定キー３９と、入力モード設定キー３９の設定結果に基づいて前記複数の光源の点灯を制御する制御部とを備え、制御部は入力モード設定キー３９で設定された文字種を記した色を除く色の第一の光源または第二の光源を点灯させることで入力が可能な文字種を各キーに表示する。【選択図】図２
2005157437.tif 000002
【特許請求の範囲】
【請求項１】
機器内部に設けられた発光色が異なる複数の光源と、機器表面に設けられ複数のキーからなり、各キーには前記光源の複数の発光色で文字種が異なる複数の文字が記されたキー入力部と、前記キー入力部により入力を行う文字種を設定する入力モード設定キーと、前記入力モード設定キーの設定結果に基づいて前記複数の光源の点灯を制御する制御部とを備え、前記制御部が前記入力モード設定キーで設定された文字種を記した色を除く色の光源を点灯させることで入力が可能な文字種を各キーに表示する情報入力装置。
【請求項２】
光源はＬＥＤである請求項１記載の情報入力装置。
【請求項３】
機器表面に設けられ複数のキーからなり、各キーには入力を行う文字を表示する表示部が設けられたキー入力部と、前記キー入力部により入力を行う文字種を設定する入力モード設定キーと、前記入力モード設定キーの設定結果に基づいて前記表示部に表示する文字の変更を行う制御部とを備えた情報入力装置。
【請求項４】
表示部は液晶表示画面である請求項３記載の情報入力装置。
【発明の詳細な説明】
【技術分野】
【０００１】
本発明は、キーによって英数字や記号等の情報の入力を行う情報入力装置に関するものである。
【背景技術】
【０００２】
近年、情報入力装置は電卓、パソコン、リモコン、携帯電話等、多くの電気機器において使用されている。
【０００３】
従来の情報入力装置は、１個の入力キーに複数のコードが割り当てられており、ファンクションキーやシフトキー等の入力モード設定切り替えキーにより入力モードを切り替えていた。また、当該モードを使用者に知らせるためのモード表示灯や表示画面の中にモード表示ウインドウを有しており、使用者はこれらのモード表示灯やモード表示ウインドウを確認しながら、入力モード設定切り替えキーにより入力モードを切り替えることにより必要なコードを入力していた。
【０００４】
しかし、従来の情報入力装置を使用する場合、使用者はキー入力を行うときキー入力部から一旦視線をモード表示灯やモード表示ウインドウに移動させ、現在の入力モードを確認する必要があり、キー入力動作の作業ロスを発生させていた。
【０００５】
このような作業ロスを発生させない方法として、通話中音声認識処理電話システムにおいては、相手との通話中に実行した音声認識の結果を基に、認証対象に対する操作を転送キーおよび録音キーに自動設定し、さらに転送キーおよび録音キーのキーの色表示を状態確認結果に応じたキー色表示で示すことで着信応答における一連の定型業務処理の使い勝手の向上を図る方法が公開されている（例えば、特許文献１参照）。
しかし、特許文献１には、音声認識処理方法や操作方法については記述されているものの、キー色表示をどのようにして変化させるか、キーの構成については十分に記述されていない。
【特許文献１】特開２００１−９４６６５号公報（第７頁、図２）
【発明の開示】
【発明が解決しようとする課題】
【０００６】
上記背景技術の問題点に鑑み、本発明が解決しようとする課題は、入力モードが容易に判別できる情報入力装置を提供することにある。
【課題を解決するための手段】
【０００７】
本発明の情報入力装置は、上記課題を解決するために、機器内部に設けられた発光色が異なる複数の光源と、機器表面に臨む複数のキーからなり、各キーには前記光源の複数の発光色で文字種が異なる複数の文字が記されたキー入力部と、前記キー入力部により入力を行う文字種を設定する入力モード設定キーと、前記入力モード設定キーの設定結果に基づいて前記複数の光源の点灯を制御する制御部とを備え、前記制御部が前記入力モード設定キーで設定された文字種を記した色を除く色の光源を点灯させることで入力が可能な文字種を各キーに表示するもので、この構成により、入力が可能な文字種を表示することができる。
【０００８】
また、本発明の情報入力装置の光源はＬＥＤであるので、この構成により情報入力装置は、色の選択幅が広がるとともに消費電力の少ない部品を使用することができる。
【０００９】
また、本発明の情報入力装置は、機器表面に臨む複数のキーからなり、各キーには入力を行う文字を表示する表示部が設けられたキー入力部と、前記キー入力部により入力を行う文字種を設定する入力モード設定キーと、前記入力モード設定キーの設定結果に基づいて前記表示部に表示する文字の変更を行う制御部とを備えているもので、この構成によりキー入力部に表示する文字を変えることができる。
【００１０】
また、本発明の情報入力装置の表示部は液晶表示画面であるので、この構成により情報入力装置は、小さく薄型のキー入力部を作成することができる。
【発明の効果】
【００１１】
以上のように、本発明の情報入力装置は、各キーに記した複数の文字種のうち入力が可能な文字種の文字だけを表示することができる。
【発明を実施するための最良の形態】
【００１２】
以下、本発明を実施するための最良の形態について、図１から図１０を用いて説明する。
【００１３】
（実施の形態１）
本発明の情報入力装置における実施の形態１として、数字モードとひらがなモードの２種類の入力モードを有し、キー入力部から１〜０とひらがなの２種類の文字種を入力し、外部機器に送信する情報入力装置を説明する。
【００１４】
図１は、情報入力装置のブロック構成図である。図１において、１は情報入力装置、１０は情報入力装置全体を制御する制御部、２０は操作案内や入力データを表示する操作案内表示部、３０はデータを入力するキー入力部、４０は制御プログラムや入力データを記憶する記憶部、５０は外部機器と通信する通信部である。
【００１５】
図２は、情報入力装置の操作パネルの構成を示す図である。図２において、６０は情報入力装置１の操作パネルであり、操作案内表示部２０とキー入力部３０が配置されている。キー入力部３０は１〜０とひらがなを入力するための数字とひらがなの記された１０個のキー３１（数字ひらがなキーともいう）と、入力データを訂正する訂正キー３７と、入力データを確定する確定キー３８と、キー入力部３０により入力を行う文字種を設定する入力モード設定キー３９より構成される。
【００１６】
そして、キー３１と訂正キー３７と確定キー３８と入力モード設定キー３９は、操作パネル６０の表面に臨んで外部からの操作及び操作解除により上下動可能に設けられている。キー入力部３０である数字とひらがなの記された１０個のキー３１に記される文字の色として、数字を例えば赤色、ひらがなを例えば青色で記するものとする。
【００１７】
図３（ａ）は、キー入力部のキーの構成を示す拡大上面図で、図３（ｂ）は、キー入力部のキーの構成を示す図３（ａ）Ａ−Ａ’断面図である。図３（ａ）、（ｂ）において、６０は情報入力装置１の操作パネルで、３１は２種類の文字が記されたキーである。３２は情報入力装置１の内部に設けられた第一の光源で、３３は情報入力装置１の内部に設けられた第二の光源で、これらは複数の各キー３１の左右両側に配置されている。３４は各種部品を実装する基板で、３５は基板３４上に設け、キー３１が押下されたことを検出するタップスイッチである。３６は第一の光源３２と第二の光源３３の光が隣接するキー３１に届かないようにする遮蔽板で、基板３４と操作パネル６０に密接している。
【００１８】
なお、第一の光源３２と第二の光源３３は発光色が異なる組合せとなっており、キー３１は光源の発光色によって文字種が異なって見える。第一の光源３２として、例えば赤色のＬＥＤを使用する。第二の光源３３として、例えば青色のＬＥＤを使用する。また、第一の光源３２と第二の光源３３とタップスイッチ３５と遮蔽板３６は、基板３４上に実装されている。
【００１９】
以上のように構成された情報入力装置１について、その動作を説明する。情報入力装置１は、数字モードとひらがなモードの２種類の入力モードを有し、入力モード設定キー３９を押下することにより、相互に切り替える。
【００２０】
図４は、情報入力装置１を数字モードに設定したときの操作パネルの状態を示す図である。操作者が入力モード設定キー３９を押下して、数字モードに切り替えると、制御部１０は入力モード設定キー３９で設定された文字種を記した色を除く色の光源として第二の光源３３を点灯させる。この結果、キー入力部３０の数字ひらがなキー３１は、入力可能な文字として、それぞれ１〜０を表示する。
【００２１】
図５は、情報入力装置１をひらがなモードに設定したときの操作パネルの状態を示す図である。操作者が入力モード設定キー３９を押下して、ひらがなモードに切り替えると、制御部１０は入力モード設定キー３９で設定された文字種を記した色を除く色の光源として第一の光源３２を点灯させる。この結果、キー入力部３０の数字ひらがなキー３１は、入力可能な文字として、それぞれ「あ〜わをん」を表示する。
【００２２】
以上説明したように、本発明の情報入力装置によれば、入力モードに応じて、キーに記された文字種のうち入力可能な文字種だけを表示することができるので、操作者はひと目で入力モードが確認でき直ぐに入力動作を開始することができる。
【００２３】
なお、本実施の形態では、文字種ならびに光源の色が２種類である場合について説明したが、文字種ならびに光源の色を３種類以上に増やしても良い。そして、３種類にする場合は、例えば赤・緑・青の３色を使用して光源と文字種を記した色を構成する。また、キーの内部に遮蔽板を形成し、キーを分割することで複数の色による表示を行ってもよい。
【００２４】
（実施の形態２）
本発明の情報入力装置における実施の形態２として、数字モードとひらがなモードの２種類の入力モードを有し、キー入力部から１〜０とひらがなの２種類の文字種を入力し、外部機器に送信する情報入力装置を説明する。
【００２５】
図６は、情報入力装置のブロック構成図である。図６において、２は情報入力装置、１１０は情報入力装置２の全体を制御する制御部、１２０は操作案内や入力データを表示する操作案内表示部、１３０はデータを入力するキー入力部、１４０は制御プログラムや入力データを記憶する記憶部、１５０は外部機器と通信する通信部である。
【００２６】
図７は、情報入力装置の操作パネルの構成を示す図である。図７において、１６０は情報入力装置２の操作パネルであり、操作案内表示部１２０とキー入力部１３０が配置されている。キー入力部１３０は１〜０とひらがなを入力するための１０個の数字ひらがなキー１３１（キーともいう）と、入力データを訂正する訂正キー１３７と、入力データを確定する確定キー１３８と、キー入力部１３０により入力を行う文字種を設定する入力モード設定キー１３９より構成される。
【００２７】
そして、複数のキー１３１と訂正キー１３７と確定キー１３８と入力モード設定キー１３９は、操作パネル１６０の表面に臨んで外部からの操作及び操作解除により上下動可能に設けられている。数字ひらがなキー１３１は、入力モードに応じて入力可能な文字種の文字を表示する。
【００２８】
図８（ａ）は、キー入力部のキーの構成を示す拡大上面図で、図８（ｂ）は、キー入力部のキーの構成を示す図８（ａ）のＢ−Ｂ’断面図である。図８（ａ）、（ｂ）においては、１６０は情報入力装置２の操作パネルで、１３６は入力を行う文字を表示する、例えば液晶表示画面を使用した表示部である。表示部１３６は、キー１３１の裏面に設けられている。１３４は各種部品を実装する基板で、１３５は基板１３４上に設け、キー１３１が押下されたことを検出するタップスイッチである。なお、キー１３１の上部は、透明な材質を使用し、表示部１３６の表示が見えるようにする。
【００２９】
以上のように構成された情報入力装置２について、その動作を説明する。情報入力装置２は、数字モードとひらがなモードの２種類の入力モードを有し、入力モード設定キー１３９を押下することにより、相互に切り替える。
【００３０】
図９は、情報入力装置を数字モードに設定したときの操作パネルの状態を示す図である。
【００３１】
操作者が入力モード設定キー１３９を押下して、数字モードに切り替えると、制御部１１０は入力モード設定キー１３９で設定された文字種の文字をキー入力部１３０である各キー１３１の表示部１３６に表示する。この結果、１０個の数字ひらがなキー１３１は、入力可能な文字として、それぞれ１〜０を表示する。
【００３２】
図１０は、情報入力装置をかたかなモードに設定したときの操作パネルの状態を示す図である。操作者が入力モード設定キー１３９を押下して、ひらがなモードに切り替えると、制御部１１０は入力モード設定キー１３９で設定された文字種の文字をキー入力部１３０の各キー１３１の表示部１３６に表示する。この結果、キー入力部１３０の１０個の数字ひらがなキー１３１は、入力可能な文字として、それぞれ「あ〜わをん」を表示する。
【００３３】
以上説明したように、本発明の情報入力装置によれば、入力モードに応じて、キーに記された文字種のうち入力可能な文字種だけを表示することができるので、操作者はひと目で入力モードが確認でき直ぐに入力動作を開始することができる。また、表示する文字種を変更したい場合は、プログラムを入れ替えれば対応できるので、仕様変更に対応しやすい。
【産業上の利用可能性】
【００３４】
本発明の情報入力装置は、入力モードに応じて、キーに記された文字種のうち入力可能な文字種だけを表示することができるので、操作者はひと目で入力モードが確認でき直ぐに入力動作を開始することがすることができ、情報入力装置等の表示技術として産業上有用である。
【図面の簡単な説明】
【００３５】
【図１】本発明の情報入力装置における実施の形態１の情報入力装置のブロック構成図
【図２】同実施の形態１における情報入力装置の操作パネルの構成を示す図
【図３】（ａ）同実施の形態１における情報入力装置のキー入力部のキーの構成を示す拡大上面図（ｂ）図３（ａ）のＡ−Ａ’断面図
【図４】同実施の形態１における情報入力装置を数字モードに設定したときの操作パネルの状態を示す図
【図５】同実施の形態１における情報入力装置をひらかなモードに設定したときの操作パネルの状態を示す図
【図６】本発明の情報入力装置における実施の形態２の情報入力装置のブロック構成図
【図７】同実施の形態２における情報入力装置の操作パネルの構成を示す図
【図８】（ａ）同実施の形態２における情報入力装置のキー入力部のキーの構成を示す拡大上面図（ｂ）図８（ａ）のＢ−Ｂ’断面図
【図９】同実施の形態２における情報入力装置を数字モードに設定したときの操作パネルの状態を示す図
【図１０】同実施の形態２における情報入力装置をひらがなモードに設定したときの操作パネルの状態を示す図
【符号の説明】
【００３６】
１、２  情報入力装置
１０、１１０  制御部
３０、１３０  キー入力部
３１、１３１  キー
３２  第一の光源（光源）
３３  第二の光源（光源）
３９、１３９  入力モード設定キー
１３６  表示部
【図１】
2005157437.tif 000003
【図２】
2005157437.tif 000004
【図３】
2005157437.tif 000005
【図４】
2005157437.tif 000006
【図５】
2005157437.tif 000007
【図６】
2005157437.tif 000008
【図７】
2005157437.tif 000009
【図８】
2005157437.tif 000010
【図９】
2005157437.tif 000011
【図１０】
2005157437.tif 000012